【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器に関連する1つまたは複数のトランスポートフォーマットコンビネーション(TFC)の各々に関するTFC状態を取得するステップであって、前記1つまたは複数のTFCの少なくとも1つのTFCが最小TFC(MinTFC)セットを構成する、ステップと、
少なくとも1つのTFCの前記TFC状態に基づいて、複数無線アクセスベアラ(MRAB)MinTFCモードでユーザ機器を動作させるためにMRAB MinTFC状態が存在するか否かを判定するステップと、
前記MRAB MinTFC状態が存在するか否かに基づいて、前記MinTFCセットの前記少なくとも1つのTFCに関連する送信を制御するステップとを含み、
前記MRAB MinTFC状態が存在する場合、前記送信を制御するステップは、前記判定するステップが、前記MRAB MinTFCモードで前記UEを動作させることを判定するステップを含むときに、前記MinTFCセットの外部にある前記少なくとも1つのTFCに関係するデータが物理層に移動するのをブロックするステップを含み、
前記MRAB MinTFC状態が存在しない場合、前記送信を制御するステップは、前記判定するステップが、前記MRAB MinTFCモードで前記UEを動作させないことを判定するステップを含むときに、前記MinTFCセットの外部にある前記少なくとも1つのTFCに関係するデータが前記物理層に移動することを許容するステップを含む、方法。
【請求項２】
前記MRAB MinTFC状態が存在するか否かを判定するステップは、
前記MinTFCセット中のすべてのパケット交換(PS)無線ベアラ(RB)非ゼロプロトコルデータユニット(PDU)TFCを識別するステップと、
前記MinTFCセット中の前記PS RB非ゼロPDU TFCのすべてが過剰電力状態またはブロック状態にあるとき、MRAB MinTFC状態が存在すると判定するステップと、
前記MinTFCセット中の前記PS RB非ゼロPDU TFCのうちの1つがサポート状態にあるとき、前記MRAB MinTFC状態が存在しないと判定するステップとをさらに含む、請求項1に記載の方法。
【請求項３】
少なくとも1つのTFCの送信を制御するステップは、前記MRAB MinTFC状態が存在すると判定されたときに、前記MinTFCセット中の少なくとも1つのTFCの少なくとも1つの回線交換(CS)RB非ゼロPDU TFCが物理層に移動することを許容するステップをさらに含む、請求項2に記載の方法。
【請求項４】
少なくとも1つのTFCの送信を制御するステップは、前記MinTFCセットの外部にあるTFCのすべてのPDUの前記物理層への移動をブロックするステップをさらに含む、請求項3に記載の方法。
【請求項５】
少なくとも1つのTFCの送信を制御するステップは、前記MRAB MinTFC状態が存在しないと判定されたときに、対応するTFC状態に従って、前記MinTFCセット中のすべての前記パケット交換(PS)無線ベアラ(RB)非ゼロPDU TFCの物理層への移動を許容するステップをさらに含む、請求項2に記載の方法。
【請求項６】
少なくとも1つのTFCの送信を制御するステップは、前記MinTFCセットの外部にあるすべてのTFCが前記物理層へ移動することを許容するステップをさらに含む、請求項5に記載の方法。
【請求項７】
前記取得するステップは、前記MinTFCセットの外部にある実質的にすべてのTFCの各々に関する複数のTFC状態を取得するステップを含む、請求項1に記載の方法。
【請求項８】
前記判定するステップは、前記実質的にすべてのTFCの各々に関する前記複数のTFC状態の少なくとも一部分が過剰電力状態またはブロック状態を示す場合に、前記MRAB MinTFCモードで前記UEを動作させることを判定するステップを含む、請求項7に記載の方法。
【請求項９】
前記部分は、TFC状態の指定された数A割る前記複数のTFC状態の数Bに部分的に基づいて計算される、請求項8に記載の方法。
【請求項１０】
前記UEは前記MRAB MinTFCモードにあり、
前記判定するステップは、前記少なくとも1つのTFCの連続する測定期間に対応する数Cの前記複数のTFC状態がサポート状態を示す場合に、前記MRAB MinTFCモードで前記UEを動作させないことを判定するステップを含む、請求項1に記載の方法。
【請求項１１】
前記MRAB MinTFCモードで前記UEを動作させないことを判定したことに基づいて、前記少なくとも1つのTFCに関係する前記データを制御することを停止するステップをさらに含む、請求項10に記載の方法。
【請求項１２】
前記取得するステップは、複数の先行する連続する測定期間にわたって前記少なくとも1つのTFCの前記複数のTFC状態を取得するステップを含む、請求項1に記載の方法。
【請求項１３】
ワイヤレス通信のための装置であって、
ユーザ機器に関連する1つまたは複数のトランスポートフォーマットコンビネーション(TFC)の各々に関するTFC状態を取得するための手段であって、前記1つまたは複数のTFCの少なくとも1つのTFCが最小TFC(MinTFC)セットを構成する、手段と、
少なくとも1つのTFCの前記TFC状態に基づいて、複数無線アクセスベアラ(MRAB)MinTFCモードでユーザ機器を動作させるためにMRAB MinTFC状態が存在するか否かを判定するための手段と、
前記MRAB MinTFC状態が存在するか否かに基づいて、前記MinTFCセットの前記少なくとも1つのTFCに関連する送信を制御するための手段とを含み、
前記MRAB MinTFC状態が存在する場合、前記送信を制御するための手段は、前記判定するための手段が、前記MRAB MinTFCモードで前記UEを動作させることを判定したときに、前記MinTFCセットの外部にある前記少なくとも1つのTFCに関係するデータが物理層に移動するのをブロックするための手段を含み、
前記MRAB MinTFC状態が存在しない場合、前記送信を制御するための手段は、前記判定するための手段が、前記MRAB MinTFCモードで前記UEを動作させないことを判定したときに、前記MinTFCセットの外部にある前記少なくとも1つのTFCに関係するデータが前記物理層に移動することを許容するための手段を含む、装置。
【請求項１４】
前記取得するための手段が、ユーザ機器に関連する1つまたは複数のトランスポートフォーマットコンビネーション(TFC)の各々に関するTFC状態を取得するように構成されたTFC取得構成要素であって、前記1つまたは複数のTFCの少なくとも1つのTFCが最小TFC(MinTFC)セットを構成する、TFC取得構成要素を含み、
前記判定するための手段が、少なくとも1つのTFCの前記TFC状態に基づいて、複数無線アクセスベアラ(MRAB)MinTFCモードでユーザ機器を動作させるためにMRAB MinTFC状態が存在するか否かを判定するように構成されたMRAB MinTFCモード判定構成要素を含み、
前記送信を制御するための手段が、前記MRAB MinTFC状態が存在するか否かに基づいて、前記MinTFCセットの前記少なくとも1つのTFCに関連する送信を制御するように構成されたTFC制御構成要素を含む、請求項13に記載のワイヤレス通信のための装置。
【請求項１５】
請求項1から12にいずれか一項に記載の方法を実行するための記憶されたコードを含むコンピュータ可読媒体。